(57)【要約】【課題】シート基材間に挟持して設けた情報が、挟持されている間は不可視であり、例えシート基材が薄くても外部から透けて見えず、シート基材を剥がすことにより初めて情報が可視化される情報隠蔽シートの提供。【解決手段】シート基材２、２間に不可視の情報１２を挟持した情報隠蔽シート１Ａであって、情報１２が顕色剤層１３上に発色剤マイクロカプセルインクにて形成されており、情報１２がシート基材２、２間に挟持されている間は不可視であるが、上方のシート基材２を剥がすと発色剤マイクロカプセルが破壊されて発色剤がマイクロカプセルからでて顕色剤と反応して発色するので情報１２を可視化できる。【選択図】      図１
2004202836.tif 000002
【特許請求の範囲】
【請求項１】
シート基材間に不可視の情報を挟持した情報隠蔽シートであって、前記シート基材を剥がすことにより前記情報を可視化することを特徴とする情報隠蔽シート。
【請求項２】
前記情報が顕色剤層上に発色剤マイクロカプセルインクにて形成されてなることを特徴とする請求項１記載の情報隠蔽シート。
【請求項３】
前記情報が顕色剤と発色剤マイクロカプセルを含むインクにて形成されてなることを特徴とする請求項１記載の情報隠蔽シート。
【請求項４】
前記情報が可変情報であることを特徴とする請求項１から請求項３のいずれかに記載の情報隠蔽シート。
【請求項５】
シート基材の重ね合わせ面の所定部に、通常状態では接着しない接着層を形成し、前記重ね合わせ面同士を対接させ所定の圧力を付与することにより、その重ね合わせ面同士を剥離可能に接着した情報隠蔽葉書であることを特徴とする請求項１から請求項４のいずれかに記載の情報隠蔽シート。
【発明の詳細な説明】
【０００１】
【発明の属する技術分野】
本発明は、情報隠蔽シートに関し、さらに詳しくは、シート基材の折り重ねや切り重ねにより重ね合わせた面を情報担持面としてなる折り畳みシート、重ね合わせシートのような親展性を有する情報伝達用シート、整理シート、複写用紙などの事務用シート、葉書、通知書、カードなどの情報を隠蔽して通知、伝達する情報隠蔽シートに関するものである。
【０００２】
【従来の技術】
従来、紙などのシート基材の重ね合わせ面に情報を担持する情報隠蔽シートにおいては、例えば二つ折り、三つ折りなどの重ね合わせ面同士が接着するように、通常、重ね合わせた際に対接するようなパターンで、重ね合わせ面の全面や特定部分、あるいは線状に感圧接着剤の接着層が設けられている。この感圧接着剤は自接着性感圧接着剤とも言われ、その接着層同士を対接させた状態で強圧をかけることにより、互いの高分子が自己拡散により密着するタイプものであって、組成物の種類や加圧の程度により、永久接着性や再剥離接着性を具現するものであり、前記重ね合わせ面同士を対接させ所定の圧力を付与することにより、その重ね合わせ面同士を剥離可能に接着することができる（例えば、特許文献１、２参照）。
【０００３】
例えば、図６に示すように二つ折り葉書用の情報隠蔽シート１は、シート基材２を折り用ミシン目３により、ほぼ同一大の葉書上紙片４及び葉書下紙片５の二枚の紙片に区画形成し、これを二つ折りしてなるものである。シート基材２は例えば紙からなり、その上面には、葉書上紙片４に宛名情報のプリント印字・印刷部１０が、葉書下紙片５に説明文等の付帯情報のプリント印字・印刷部１１がそれぞれ設けられ、また、図７に示すようにシート基材２を重ね合わせて再剥離可能に接着するためのそれぞれの接着層６の面上には隠蔽情報のプリント印字・印刷部７、８が設けられている。
そして、図８に示すようにこの隠蔽情報のプリント面同志が重なり合うように折り用ミシン目３で折り重ね、接着層６を構成する剥離可能な接着剤の接着条件である圧力を付与することにより、剥離可能に接着して情報を隠蔽して、例えば投函されるものである。受け取った人が隠蔽情報を見るときは、剥離可能に接着した接着層６間が容易に剥離できるので、接着層６の面上の隠蔽情報のプリント印字・印刷部７、８を見ることができる。
【０００４】
【特許文献１】
特開平４−５９３９５号公報
【特許文献２】
特開平１１−１５８４４０号公報
【０００５】
【発明が解決しようとする課題】
しかし、従来の情報隠蔽シート１は、シート基材２が薄いと、隠蔽情報が外部から透けて視認できる場合があり、これを防止するために、紙の白色度を上げたり、シート基材２の上面にスクリーンや地紋を印刷することが行われていたが、煩雑となり、コストアップとなる問題があった。
そこで、本発明の目的は、シート基材間に挟持して設けた情報は、挟持されている間は不可視であり、したがって例えシート基材が薄くても外部から透けて見えず、そしてシート基材を剥がすことにより初めて隠蔽情報が可視化されるような情報隠蔽シートを提供することである。
【０００６】
【課題を解決するための手段】
すなわち、前記課題を解決するための本発明の請求項１記載の情報隠蔽シートは、シート基材間に不可視の情報を挟持した情報隠蔽シートであって、前記シート基材を剥がすことにより前記情報を可視化することを特徴とする。
【０００７】
本発明の情報隠蔽シートは、シート基材間に挟持して設けた隠蔽情報が、シート基材間に挟持されている間は不可視であり、例えシート基材が薄くても外部から透けて見えず、そして、隠蔽情報を見るためにシート基材を剥がすことにより初めて隠蔽情報が可視化されるので、透けて見えるのを防止するために、紙の白色度を上げたり、シート基材の上面にスクリーンや地紋を印刷する必要がなくなり、安価である。
【０００８】
本発明の請求項２記載の情報隠蔽シートは、請求項１記載の情報隠蔽シートにおいて、前記情報が顕色剤層上に発色剤マイクロカプセルインクにて形成されてなることを特徴とする。
【０００９】
隠蔽情報がシート基材間に挟持されている間は発色剤マイクロカプセルが破壊されておらず発色剤がマイクロカプセル中に保持されているため、発色せず、例えシート基材が薄くても外部から透けて見えず不可視であるが、隠蔽情報を見るためにシート基材を剥がすことにより発色剤マイクロカプセルが破壊されて、発色剤がマイクロカプセルからでて顕色剤と反応して発色するので隠蔽情報が可視化される。
【００１０】
本発明の請求項３記載の情報隠蔽シートは、請求項１記載の情報隠蔽シートにおいて、前記情報が顕色剤と発色剤マイクロカプセルを含むインクにて形成されてなることを特徴とする。
【００１１】
隠蔽情報がシート基材間に挟持されている間は発色剤マイクロカプセルが破壊されておらず発色剤がマイクロカプセル中に保持されているため、発色せず、例えシート基材が薄くても外部から透けて見えず不可視であるが、隠蔽情報を見るためにシート基材を剥がすことにより発色剤マイクロカプセルが破壊されて、発色剤がマイクロカプセルからでて顕色剤と反応して発色するので隠蔽情報が可視化される。
【００１２】
本発明の請求項４記載の情報隠蔽シートは、請求項１から請求項３のいずれかに記載の情報隠蔽シートにおいて、前記情報が可変情報であることを特徴とする。
【００１３】
大きさ、形状、内容などを自由に変えた画像・文字やマークなどを含む可変情報を隠蔽情報とすれば、オンデマンドで少量・多種類の注文にも応じることもできる。
【００１４】
本発明の請求項５記載の情報隠蔽シートは、請求項１から請求項４のいずれかに記載の情報隠蔽シートにおいて、シート基材の重ね合わせ面の所定部に、通常状態では接着しない接着層を形成し、前記重ね合わせ面同士を対接させ所定の圧力を付与することにより、その重ね合わせ面同士を剥離可能に接着した情報隠蔽葉書であることを特徴とする。
【００１５】
本発明の情報葉書は、シート基材間に接着剤層を介して所定の圧力を付与することにより、その重ね合わせ面同士を剥離可能に接着して容易に隠蔽情報を挟持することができ、隠蔽情報はシート基材間に挟持されている間は不可視状態を容易に維持でき、そして、隠蔽情報を見る際はシート基材を容易に剥がして可視化できる。
【００１６】
【発明の実施の形態】
以下、本発明の実施の態様を詳細に説明する。
図１は本発明の情報隠蔽シートのシート基材を剥がすことにより隠蔽情報を可視化することを模式的に説明する説明図である。
図１において、図６〜８に示した構成部分と同じ構成部分には同一参照符号を付すことにより、重複した説明を省略する。
図１において、本発明の情報隠蔽シート１Ａは、上方のシート基材２と下方のシート基材２の２枚のシート基材２間に不可視の情報１２が挟持されている。下方のシート基材２の上面には顕色剤層１３が形成されており、情報１２が顕色剤層１３上に発色剤マイクロカプセル１４を含む発色剤マイクロカプセルインクにて形成されている。
【００１７】
１５は、発色剤マイクロカプセル（例えば粒径約２〜３μｍ）１４より大きさの大きい澱粉粉末などの粒子（例えば粒径約４〜５μｍ）を示す。本発明の情報隠蔽シート１Ａの上方より筆圧、タイプ圧、積層時の荷重などの刺激が付与されてもこの刺激を粒子１５が吸収、支持して刺激が発色剤マイクロカプセル１４に直接伝わらないように作用するので、筆圧、タイプ圧、積層時の荷重などの刺激により発色剤マイクロカプセル１４が破壊されないようになっている。したがってシート基材２間に挟持して設けた情報１２が、シート基材２間に挟持されている間は発色剤マイクロカプセル１４が破壊されず発色剤がマイクロカプセル１４中に保持されているため、発色せず、不可視であり、例えシート基材２が薄くても外部から透けて見えない。
しかし、図１に示すように上方のシート基材２を白矢印で示す方向に剥がすことにより引張力が発色剤マイクロカプセル１４に働き、発色剤マイクロカプセル１４が破壊されると、発色剤がマイクロカプセル１４からでて顕色剤層１３の顕色剤と反応して発色するので情報１２が可視化される。
【００１８】
図２（イ）〜（ハ）は本発明の他の情報隠蔽シートのシート基材を剥がすことにより隠蔽情報を可視化することを模式的に説明する説明図である。
図２（イ）〜（ハ）において、図１、図６〜８に示した構成部分と同じ構成部分には同一参照符号を付すことにより、重複した説明を省略する。
本発明の情報隠蔽シート１Ｂは、シート基材２を折り用ミシン目３により、ほぼ同一大の葉書上紙片４及び葉書下紙片５の二枚の紙片に区画形成し、これを二つ折りしてなるものである。シート基材２の上面には、葉書上紙片４に宛名情報のプリント印字・印刷部１０が、葉書下紙片５に図示しない説明文等の付帯情報のプリント印字・印刷部がそれぞれ設けられ、図２（イ）に示すようにシート基材２を重ね合わせて再剥離可能に接着するためのそれぞれの接着層６の面上に顕色剤層１３が設けてあり、顕色剤層１３の上に隠蔽情報１２が図示しない発色剤マイクロカプセルを含む発色剤マイクロカプセルインクにて形成されている。
そして、図２（ロ）に示すようにこの隠蔽情報１２のプリント面同志が重なり合うように折り用ミシン目３で折り重ね、接着層６を構成する剥離可能な接着剤の接着条件である圧力を付与することにより、剥離可能に接着して情報１２を隠蔽する。図２（ハ）に示すように受け取った人が情報１２を見るときは、剥離可能に接着した接着層６間が容易に剥離できるので、白矢印で示した方向に接着層６間を剥がすことにより発色剤マイクロカプセルが破壊され、発色剤がマイクロカプセルからでて顕色剤層１３の顕色剤と反応して発色するので情報１２が可視化される。
そして図２（ハ）に示すように本発明の情報隠蔽シート１Ｂの剥離されていない箇所にある情報１２は発色剤マイクロカプセルが破壊されていないので未だ可視化されていない。
【００１９】
図３〜図５は本発明の他の情報隠蔽シートを説明する説明図である。
図３〜図５において、図６〜８に示した構成部分と同じ構成部分には同一参照符号を付すことにより、重複した説明を省略する。
図３〜図５に示す本発明の情報隠蔽シート１Ｃは、接着層６の面上に設けられた隠蔽情報のプリント印字・印刷部７、８が顕色剤と発色剤マイクロカプセルを含むインクにて形成されてなる以外は、図６〜図８に示す本発明の情報隠蔽シート１と同様になっている。
本発明の情報隠蔽シート１Ｃは、隠蔽情報のプリント印字・印刷部７、８がシート基材２間に挟持されている間は発色剤マイクロカプセルが破壊されず発色剤がマイクロカプセル中に保持されているため、発色せず、不可視であり、例えシート基材２が薄くても外部から透けて見えない。
しかし、上方のシート基材２（葉書上紙片４）を剥がすことにより引張力が発色剤マイクロカプセルに働き発色剤マイクロカプセルが破壊されると、発色剤がマイクロカプセルからでて顕色剤と反応して発色するので隠蔽情報のプリント印字・印刷部７、８が可視化される。
【００２０】
本発明で用いる発色剤としては、トリアリルメタン系化合物、ジアリールメタン系化合物、キサンテン系化合物、チアジン系化合物、スピロピラン系化合物などが使用でき、一般に感圧記録材料や感熱記録材料に用いられているものであれば、特に制限されない。例えば、トリアリルメタン系化合物、ジアリ−ルメタン系化合物、キサンテン系化合物、チアジン系化合物、スピロピラン系化合物、ジフェニルメタン系染料、スピロ系染料、ラクタム系染料、フルオラン系染料などが使用できる。
具体的には、３，３−ビス（ｐ−ジメチルアミノフェニル）−６−ジメチルアミノフタリド、３，３−ビス（ｐ−ジメチルアミノフェニル）フタリド、３−（ｐ−ジメチルアミノフェニル）−３−（１，２−ジメチルインド−ル−３−イル）フタリド、３−（ｐ−ジメチルアミノフェニル）−３−（２−メチルインド−ル−３−イル）フタリド、３，３−ビス（１，２−ジメチルインド−ル−３−イル）−５−ジメチルアミノフタリド、３，３−ビス（９−エチルカルバゾ−ル−３−イル）−６−ジメチルアミノフタリド、３，３−ビス（２−フェニルインド−ル−３−イル）−６−ジメチルアミノフタリド、３−ｐ−ジメチルアミノフェニル−３−（１−メチルピロ−ル−３−イル）−６−ジメチルアミノフタリドなどのトリアリルメタン系染料、４，４’−ビス−ジメチルアミノベンズヒドリルベンジルエ−テル、Ｎ−ハロフェニル、ロイコオ−ラミン、Ｎ−２，４，５−トリクロロフェニルロイコオ−ラミンなどのジフェニルメタン系染料、ベンゾイルロイコメチレンブル−、ｐ−ニトロベンゾイルロイコメチレンブル−などのチアジン系染料、３−メチル−スピロ−ジナフトピラン、３−エチル−スピロ−ジナフトピラン、３−フェニル−スピロ−ジナフトピラン、３−ベンジル−スピロ−ジナフトピラン、３−メチル−ナフト（６’−メトキシベンゾ）スピロピラン、３−プロピル−スピロ−ジベンゾピランなどのスピロ系染料、ロ−ダミン−Ｂ−アニリノラクタム、ロ−ダミン（ｐ−ニトロアニリノ）ラクタム、ロ−ダミン（ｏ−クロロアニリノ）ラクタムなどのラクタム系染料、３−ジメチルアミノ−７−メトキシフルオラン、３−ジエチルアミノ−６−メトキシフルオラン、３−ジエチルアミノ−７−メトキシフルオラン、３−ジエチルアミノ−７−クロロフルオラン、３−ジエチルアミノ−６−メチル−７−クロロフルオラン、３−ジエチルアミノ−６，７−ジメチルフルオラン、３−（Ｎ−エチル−ｐ−トルイジノ）−７−メチルフルオラン、３−ジエチルアミノ−７−Ｎ−アセチル−Ｎ−メチルアミノフルオラン、３−ジエチルアミノ−７−Ｎ−メチルアミノフルオラン、３−ジメチルアミノ−７−ジベンジルアミノフルオラン、３−ジエチルアミノ−７−メチル−Ｎ−ベンジルアミノフルオラン、３−ジエチルアミノ−７−Ｎ−クロロエチル−Ｎ−メチルアミノフルオラン、３−ジエチルアミノ−７−Ｎ−ジエチルアミノフルオラン、３−（Ｎ−エチル−ｐ−トルイジノ）−６−メチル−７−フェニルアミノフルオラン、３−（Ｎ−エチル−ｐ−トルイジノ）−６−メチル−７−（ｐ−トルイジノ）フルオラン、３−ジエチルアミノ−６−メチル−７−フェニルアミノフルオラン、３−ジエチルアミノ−７−（２−カルボメトキシ−フェニルアミノ）フルオラン、３−（Ｎ−エチル−Ｎ−iso−アミルアミノ）−６−メチル−７−フェニルアミノフルオラン、３−（Ｎ−シクロヘキシル−Ｎ−メチルアミノ）−６−メチル−７−フェニルアミノフルオラン、３−ピペリジノ−６−メチル−７−フェニルアミノフルオラン、３−ピロリジノ−６−メチル−７−フェニルアミノフルオラン、３−ジエチルアミノ−６−メチル−７−キシリジノフルオラン、３−ジエチルアミノ−７−（ｏ−クロロフェニルアミノ）フルオラン、３−ジブチルアミノ−７−（ｏ−クロロフェニルアミノ）フルオラン、３−ピロリジノ−６−メチル−７−ｐ−ブチルフェニルアミノフルオランなどのフルオラン系染料などを挙げることができる。
【００２１】
発色剤を溶解する溶媒としては、ジアリールアルカン系、アルキルナフタレン系、アルキル化ビフェニル、水添ターフェニルの如き芳香族合成油、ケロシン、ナフサ、パラフィン油、塩素化パラフィンの如き脂肪族合成油、綿実油、大豆油、亜麻仁油の如き植物油などが使用できる。
【００２２】
本発明で用いる顕色剤としては、粘土類（例えば、活性白土、酸性白土、アタパルジャイト、ベントナイト、コロイダルシルカ、硅酸アルミニウムなど）、有機酸（例えば、サリチル酸の如き芳香族カルボキシ化合物またはこれらの金属塩など）、有機酸と金属化合物の混合物、酸性重合体（例えばフェノ−ル／ホルムアルデヒド樹脂、サリチル酸系樹脂またはこれらの亜鉛、マグネシウム、アルミニウム、カルシウム、チタン、マンガン、スズ、ニッケルなどの多価金属塩など）などが使用できる。
特にフェノール誘導体、芳香族カルボン酸誘導体あるいはその金属化合物、Ｎ，Ｎ’−ジアリールチオ尿素誘導体、有機酸と金属化合物の混合物、酸性重合体（例えばフェノ−ル／ホルムアルデヒド樹脂、サリチル酸系樹脂またはこれらの亜鉛、マグネシウム、アルミニウム、カルシウム、チタン、マンガン、スズ、ニッケルなどの多価金属塩など）などが使用できる。
これらの中で特に好ましく使用できるものは、フェノ−ル誘導体、芳香族カルボン酸およびそのフェノ−ル性化合物であり、具体的には、１，１−ビス（ｐ−ヒドロキシフェニル）プロパン、２，２−ビス（ｐ−ヒドロキシフェニル）プロパン、２，２−ビス（ｐ−ヒドロキシフェニル）ブタン、２，２−ビス（ｐ−ヒドロキシフェニル）ヘキサン、ビスフェノ−ルスルフォン、ビス（３−アリル−４−ヒドロキシフェニル）スルフォン、４−ヒドロキシ−４’−イソプロピルオキシジフェニルスルフォン、３，４−ジヒドロキシ−４’−メチルジフェニルスルフォン、ジフェノ−ルエ−テル、ｐ−ヒドロキシ安息香酸ベンジル、ｐ−ヒドロキシ安息香酸プロピル、ｐ−ヒドロキシ安息香酸ブチル、ｐ−tert−ブチル安息香酸、トリクロロ安息香酸、４−ヒドロキシ安息香酸オクチル、安息香酸、テレフタル酸、３−sec −ブチル−４−ヒドロキシ安息香酸、３−シクロヘキシル−４−ヒドロキシ安息香酸、３，５−ジメチル−４−ヒドロキシ安息香酸、サリチル酸、３−イソプロピルサリチル酸、３−tert−ブチルサリチル酸、３−ベンジルサリチル酸、３−（α−メチルベンジル）サリチル酸、３−クロロ−５−（α−メチルベンジル）、３，５−ジ−α−メチルベンジルサリチル酸、３，５−ジ−tert−ブチルサリチル酸、３−フェニル−５−（α，α−ジメチルベンジル）サリチル酸、４−tert−ブチルフェノ−ル、４−ヒドロキシジフェノキシド、α−ナフト−ル、β−ナフト−ル、４−ヒドロキシアセトフェノ−ル、４−tert−カテコ−ル、２，２’−ジヒドロキシジフェノ−ル、２，２’−メチレンビス（４−メチル−６−tert−イソブチルフェノ−ル、４，４’−イソプロピリデンビス（２−tert−ブチルフェノ−ル）、４，４’−sec−ブチリデンジフェノ−ル、４−フェニルフェノ−ル、４，４’−イソプロピリデンジフェノ−ル、２，２’−メチレンビス（４−クロロフェノ−ル）、ヒドロキノン、４，４’−シクロヘキシリデンジフェノ−ル、４−ヒドロキシフタル酸ジメチル、ヒドロキノンモノベンジルエ−テル、ノボラック型フェノ−ル樹脂、フェノ−ル重合体などのフェノ−ル性化合物が挙げられる。
【００２３】
上記の発色剤を用いて本発明で用いる発色剤マイクロカプセルを調製する方法は、界面重合法、相分離析出法、オリフィス法、in-situ 法などと称される公知のマイクロカプセル化法などいずれでもよく、特に限定されるものではない。
【００２４】
本発明で使用する発色剤マイクロカプセルの壁材を形成する高分子化合物は、ポリエステル樹脂、ポリアミド樹脂、エポキシ樹脂、ウレタン樹脂、シリコン樹脂、メラミン樹脂、尿素樹脂、フェノール樹脂などの高分子化合物など、あるいはこれらの混合物からなる高分子などいずれでもよく、特に限定されるものではない。
【００２５】
本発明において、発色剤マイクロカプセルインク、顕色剤層の形成に使用されるバインダーとしては、天然品でも合成品でもあるいはこれらの２つ以上の混合物でもよく、熱硬化性バインダー、熱可塑性バインダー、赤外線、紫外線、電子線などの放射線を照射して硬化する放射線硬化性バインダー、水溶性バインダー、水分散性バインダーなど公知のバインダーのいずれでもよい。
具体的には、デンプン類、ヒドロキシエチルセルロース、メチルセルロース、エチルセルロース、カルボキシメチルセルロースなどのセルロース誘導体、カゼイン、ゼラチンなどのプロテイン、酸化デンプン、エステル化合物デンプン、エーテル化澱粉、酸化澱粉、酵素変性澱粉やそれらをフラッシュドライして得られる冷水可溶性澱粉、カゼイン、ゼラチン、大豆蛋白などの天然高分子化合物、ポリビニルアルコール、変性ポリビニルアルコール、シリル変性ポリビニルアルコール、ポリビニルピロリドン、ポリアクリル酸、ポリアクリル酸ソーダ、アクリル酸アミド／アクリル酸エステル共重合体、アクリル酸アミド／アクリル酸エステル／メタクリル酸３元共重合体などアクリル酸エステル及びメタクリル酸エステルの重合体または共重合体、アクリル酸及びメタクリル酸の重合体または共重合体などのアクリル系重合体ラテックス、スチレン／無水マレイン酸共重合体のアルカリ塩、ラテックス、ポリアクリルアミド、スチレン／無水マレイン酸共重合体、酢ビ・アクリル系、酢ビ・ブチルアクリレート共重合体、無水マレイン酸樹脂、スチレン−ブタジエン共重合体、メチルメタクリレート−ブタジエン共重合体などの共役ジエン系共重合体ラテックス、イソブテン・無水マレイン酸共重合体などの如き水溶性合成高分子化合物やラテックス類、エチレン／無水マレイン酸共重合体のアルカリ塩などの水溶性接着樹脂、エチレン酢酸ビニル共重合体などのビニル系重合体ラテックス、あるいはこれらの各種重合体のカルボキシル基などの官能基含有単量体による官能基変性重合体ラテックス、メラミン樹脂、尿素樹脂などの熱硬化合成樹脂系などの水性接着剤、ポリ酢酸ビニル、ポリウレタン、ポリアクリル酸エステル、ポリメチルメタクリレート、不飽和ポリエステル樹脂、塩化ビニル−酢酸ビニルコポリマー、ポリビニルブチラール、アルキッド樹脂などの合成樹脂系接着剤、スチレン／ブタジエン共重合体、アクリロニトリル／ブタジエン共重合体、アクリル酸メチル／ブタジエン共重合体、アクリロニトリル／ブタジエン／アクリル酸共重合体、エチレン／酢酸ビニル共重合体などのラテックスなどが挙げられ、１種以上で使用される。
また、必要に応じて、本発明で用いるバインダーにはさらに、慣用されている添加成分、例えば、粘度調整剤、酸化防止剤、紫外線吸収剤、消泡剤、各種安定剤、増感剤などを含有させることもできる。
【００２６】
また、接着剤層６を構成する接着剤としては、再剥離性接着剤が好ましく使用できる。接着剤基材としては、具体的には例えば、ゴム系またはアクリル樹脂系の粘着剤を用いることができる。ゴム系の主原料は天然ゴムまたはスチレン・ブタジエンラバーであり、天然ゴムでは、ロジン系樹脂や可塑剤なとが添加され、通常ノルマルヘキサンを溶媒として塗工する。また、スチレン・ブタジエンラバーを主原料とした場合は溶融して塗工する。アクリル樹脂系においては、２−エチルヘキシルアクリレート、ブチルアクリレート、エチルアクリレート、アクリル酸、β−ヒドロキシエチルアクリレートなどのアクリル系モノマーを重合して作る。重合の方法により、酢酸エチルやトルエンなどの有機溶媒を用いたり、界面活性剤を用いて水中で乳化させながら重合したエマルジョンタイプを用いることができる。
【００２７】
本発明において発色剤マイクロカプセルインクや顕色剤層、接着剤層などを塗工する方法としては、グラビアコーター、グラビアオフセットコーター、バーコーター、ロールコーター、エアナイフコーター、Ｕコンマコーター、ＡＫＫＵコーター、スムージングコーター、マイクログラビアコーター、リバースロールコーター、４本あるいは５本（多段）ロールコーター、カーテンコーター、ブレードコーター、ディップコーター、落下カーテンコーター、スライドコーター、リップコーター、ダイコーター、スクイズコーター、ショートドウェルコータ、サイズプレス、スプレーなどの各種装置の中から適当な装置をオンマシンあるいはオフマシンで用いることができる。
【００２８】
印字・画像などの情報を形成する方法は特に限定されるものではなく、フレキソ印刷、オフセット印刷、グラビア印刷、活版印刷、凹版印刷などの公知の印刷法やインクジェット印刷法などを挙げることができる。
【００２９】
本発明で用いるシート基材の素材としては、ガラス繊維、アルミナ繊維、ポリエステル繊維、ポリアミド繊維などの無機または有機繊維からなる織布、不織布、マット、紙（例えば、上質紙、中質紙、合成紙、各種再生紙、アート紙、コート紙、ミラーコート紙、コンデンサー紙、パラフィン紙、その他の紙の他に、それにオーバーコート層（保護層）をもつ用紙など）あるいはこれらを組み合わせたもの、あるいはこれらに樹脂ワニスを含浸させて成形した複合シート、ポリアミド系樹脂シート、ポリエステル系樹脂シート、ポリオレフィン系樹脂シート、ポリイミド系樹脂シート、エチレン・ビニルアルコール共重合体シート、ポリビニルアルコール系樹脂シート、ポリ塩化ビニル系樹脂シート、ポリ塩化ビニリデン系樹脂シート、ポリスチレン系樹脂シート、ポリカーボネート系樹脂シート、アクリロニトリルブタジエンスチレン共重合系樹脂シート、ポリエーテルスルホン系樹脂シート、アクリロニトリル・スチレン共重合体（ＡＳ）シート、ポリメチルメタクリレート（ＰＭＭＡ）シート、セルロースアセテートブチレート（ＣＡＢ）シート、セルロースプロピオネート（ＣＰ）など）シートなどのプラスチックシート等を好適に用いることができる。
プラスチックシート基材はコロナ放電処理、プラズマ処理、紫外線照射処理、電子線照射処理、フレームプラズマ処理およびオゾン処理などの表面処理を施したものなどが好ましく使用できる。
【００３０】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００３１】
【発明の効果】
本発明の請求項１記載の情報隠蔽シートは、シート基材間に不可視の情報を挟持した情報隠蔽シートであって、前記シート基材を剥がすことにより前記情報を可視化することを特徴とするものであり、シート基材間に挟持して設けた隠蔽情報が、シート基材間に挟持されている間は不可視であり、例えシート基材が薄くても外部から透けて見えず、そして、隠蔽情報を見るためにシート基材を剥がすことにより初めて隠蔽情報が可視化されるので、透けて見えるのを防止するために、紙の白色度を上げたり、シート基材の上面にスクリーンや地紋を印刷する必要がなくなり、安価であり、折り畳みシート、重ね合わせシートのような親展性を有する情報伝達用シート、整理シート、複写用紙などの事務用シート、葉書、通知書、カードなどの情報を隠蔽して通知、伝達する情報隠蔽シートなどに用いることができるという顕著な効果を奏する。
【００３２】
本発明の請求項２記載の情報隠蔽シートは請求項１記載の情報隠蔽シートにおいて、前記情報が顕色剤層上に発色剤マイクロカプセルインクにて形成されてなることを特徴とするものであり、隠蔽情報がシート基材間に挟持されている間は発色剤マイクロカプセルが破壊されておらず発色剤がマイクロカプセル中に保持されているため、発色せず、例えシート基材が薄くても外部から透けて見えず不可視であるが、隠蔽情報を見るためにシート基材を剥がすことにより発色剤マイクロカプセルが破壊されて、発色剤がマイクロカプセルからでて顕色剤と反応して発色するので隠蔽情報が可視化されるというさらなる顕著な効果を奏する。
【００３３】
本発明の請求項３記載の情報隠蔽シートは、請求項１記載の情報隠蔽シートにおいて、前記情報が顕色剤と発色剤マイクロカプセルを含むインクにて形成されてなることを特徴とするものであり、隠蔽情報がシート基材間に挟持されている間は発色剤マイクロカプセルが破壊されておらず発色剤がマイクロカプセル中に保持されているため、発色せず、例えシート基材が薄くても外部から透けて見えず不可視であるが、隠蔽情報を見るためにシート基材を剥がすことにより発色剤マイクロカプセルが破壊されて、発色剤がマイクロカプセルからでて顕色剤と反応して発色するので隠蔽情報が可視化されるというさらなる顕著な効果を奏する。
【００３４】
本発明の請求項４記載の情報隠蔽シートは、請求項１から請求項３のいずれかに記載の情報隠蔽シートにおいて、前記情報が可変情報であることを特徴とするものであり、大きさ、形状、内容などを自由に変えた画像・文字やマークなどを含む可変情報を隠蔽情報とすれば、オンデマンドで少量・多種類の注文にも応じることもできるというさらなる顕著な効果を奏する。
【００３５】
本発明の請求項５記載の情報隠蔽シートは、請求項１から請求項４のいずれかに記載の情報隠蔽シートにおいて、シート基材の重ね合わせ面の所定部に、通常状態では接着しない接着層を形成し、前記重ね合わせ面同士を対接させ所定の圧力を付与することにより、その重ね合わせ面同士を剥離可能に接着した情報隠蔽葉書であることを特徴とするものであり、シート基材間に接着剤層を介して所定の圧力を付与することにより、その重ね合わせ面同士を剥離可能に接着して容易に隠蔽情報を挟持することができ、隠蔽情報はシート基材間に挟持されている間は不可視状態を容易に維持でき、そして、隠蔽情報を見る際はシート基材を容易に剥がして可視化できるというさらなる顕著な効果を奏する。
【図面の簡単な説明】
【図１】本発明の情報隠蔽シートのシート基材を剥がすことにより隠蔽情報を可視化することを模式的に説明する説明図である。
【図２】（イ）〜（ハ）は本発明の他の情報隠蔽シートのシート基材を剥がすことにより隠蔽情報を可視化することを模式的に説明する説明図である。
【図３】本発明の他の情報隠蔽シート（二つ折り葉書形成シート）表面の概略的平面図である。
【図４】図３に示した二つ折り葉書形成シート裏面の概略的平面図である。
【図５】図３に示した二つ折り葉書形成シートから作成した二つ折り葉書を示す概略的斜視図である。
【図６】従来の情報隠蔽シート（二つ折り葉書形成シート）表面の概略的平面図である。
【図７】図６に示した二つ折り葉書形成シート裏面の概略的平面図である。
【図８】図６に示した二つ折り葉書形成シートから作成した二つ折り葉書を示す概略的斜視図である。
【符号の説明】
１Ａ、１Ｂ、１Ｃ  本発明の情報隠蔽シート
２  シート基材
３  折り用ミシン目
４  葉書上紙片
５  葉書下紙片
６  接着層
７、８  隠蔽情報のプリント印字・印刷部
１０  宛名情報のプリント印字・印刷部
１１  付帯情報のプリント印字・印刷部
１２  情報
１３  顕色剤層
１４  発色剤マイクロカプセル
１５  澱粉粉末などの粒子
【図１】
2004202836.tif 000003
【図２】
2004202836.tif 000004
【図３】
2004202836.tif 000005
【図４】
2004202836.tif 000006
【図５】
2004202836.tif 000007
【図６】
2004202836.tif 000008
【図７】
2004202836.tif 000009
【図８】
2004202836.tif 000010